(57)【要約】【課題】籾摺選別機において、玄米の選別処理行程を短縮して籾摺能率の向上を図り、混合米選別部を小型化しコストの低減を図る。【解決手段】高脱ぷ率で籾摺する籾摺部１を設け、籾摺部１により高脱ぷ率で籾摺された摺出米を摺出米風選部２に送り、玄米受樋１１に玄米を、混合米受樋１２に混合米を、粃受樋１３に粃を夫れ夫れ選別する。玄米受樋１１に風選された玄米を玄米揚穀機１６により直接機外に取り出し、摺出米風選部２で混合米受樋１２に風選された混合米を混合米揚穀機２０により混合米選別部３に送り籾・玄米に分離選別する。  【選択図】        図１
2005095748.tif 000002
【特許請求の範囲】
【請求項１】
高脱ぷ率で籾摺する籾摺部１と、摺出米選別風路１０の下方に玄米受樋１１、混合米受樋１２及び粃受樋１３が設けされている摺出米風選部２と、前記摺出米風選部２で玄米受樋１１に風選された玄米を機外に取り出す玄米揚穀機１６と、混合米を籾・玄米に分離選別する混合米選別部３と、前記摺出米風選部２で混合米受樋１２に風選された混合米を前記混合米選別部３に移送する混合米揚穀機２０とからなる籾摺選別機。
【請求項２】
籾摺する籾摺部１と、摺出米選別風路１０の下方に混合米受樋１２、粃受樋１３が設けられている摺出米風選部２と、混合米を籾・玄米に分離選別する混合米選別部３を機体に順次並列配置し、前記摺出米風選部２で混合米受樋１２に風選された混合米を混合米揚穀機２０により前記混合米選別部３に移送するように構成し、前記摺出米風選部２の摺出米選別風路１０の終端部に吸引ファン１４を連接し、混合米選別部３からの選別玄米を受けて機外に取り出す玄米揚穀機１６を前記吸引ファン１４の近傍に配置し、前記玄米揚穀機１６には機外取出玄米から塵埃類を吸塵する玄米吸塵装置１７を設け、前記玄米吸塵装置１７の吸塵通路１７ｃの終端部を前記吸引ファン１４の吸入部及び穀粒溜り室１８に連通し、前記穀粒溜り室１８には開口して前記摺出米選別風路１０に穀粒を供給する開閉板１９を設けたことを特徴とする籾摺選別機。
【請求項３】
高脱ぷ率で籾摺する籾摺部１と、摺出米選別風路１０の下方に玄米受樋１１、混合米受樋１２、粃受樋１３が設けられている摺出米風選部２と、混合米を籾・玄米に分離選別する混合米選別部３を機体の前側から後側に順次並列配置し、前記摺出米風選部２で混合米受樋１２に風選された混合米を混合米揚穀機２０により前記混合米選別部３に移送するように構成し、前記摺出米風選部２の摺出米選別風路１０の終端部に連接した吸引ファン１４を前記籾摺部１の後側で且つ混合米選別部３の前側に配置し、前記摺出米風選部２で玄米受樋１１に風選された玄米を機外に取り出す玄米揚穀機１６を前記吸引ファン１４の近傍に配置し、前記玄米揚穀機１６には機外取出玄米から塵埃類を吸塵する玄米吸塵装置１７を設け、前記玄米吸塵装置１７の吸塵通路１７ｃの終端部を前記吸引ファン１４の吸入部及び穀粒溜り室１８に連通し、前記穀粒溜り室１８には開口して前記摺出米選別風路１０に穀粒を供給する開閉板１９を設けたことを特徴とする籾摺選別機。
【発明の詳細な説明】
【技術分野】
【０００１】
本発明は、例えばインペラ羽根型の籾摺部で高脱ぷ率で籾摺する籾摺選別機に関するものである。
【背景技術】
【０００２】
インペラ羽根により高脱ぷ率で籾摺する籾摺部と、籾摺部により高脱ぷ率で籾摺された摺出米を風選する混合米受樋、粃受樋の設けられている摺出米風選部と、摺出米風選部で混合米受樋に風選された混合米を籾・玄米に分離選別する混合米選別部とからなる籾摺選別機は、公知である（特許文献１及び特許文献２）。
【特許文献１】特開２００３−７１３０３号公報
【特許文献２】特開２００３−４７８６３号公報
【発明の開示】
【発明が解決しようとする課題】
【０００３】
従来の籾摺選別機は、籾摺部で高脱ぷ率で籾摺した摺出米を摺出米風選部で混合米と粃とに風選し、選別された玄米比率の高い混合米全量を混合米選別部に送り籾・玄米に分離選別する構成である。
【０００４】
従って、高脱ぷ率で籾摺された玄米比率の高い混合米を全量混合米選別部に送って籾・玄米に分離選別するので、混合米選別部も籾摺部と同様に大容量化し大型化するという問題点があった。
【０００５】
そこで、この発明は籾摺部により高脱ぷ率で籾摺された摺出米を摺出米風選部で玄米、混合米及び粃に風選し、摺出米風選部から玄米を直接機外に取り出し、残った少量の混合米を混合米選別部に送り籾・玄米に分離選別するようにし、玄米の処理行程を短縮して籾摺能率の向上を図り、混合米選別部を小容量化し合わせてコストの低減を図ろうとするものである。
【課題を解決するための手段】
【０００６】
前記問題点を解決するために、この発明は次のような技術的手段を講じた。
請求項１の発明は、高脱ぷ率で籾摺する籾摺部１と、摺出米選別風路１０の下方に玄米受樋１１、混合米受樋１２及び粃受樋１３が設けられている摺出米風選部２と、前記摺出米風選部２で玄米受樋１１に風選された玄米を機外に取り出す玄米揚穀機１６と、混合米を籾・玄米に分離選別する混合米選別部３と、前記摺出米風選部２で混合米受樋１２に風選された混合米を前記混合米選別部３に移送する混合米揚穀機２０とから構成されている。
【０００７】
前記構成によると、籾摺部１で高脱ぷ率で籾摺された摺出米は摺出米風選部２に送られ、玄米受樋１１には玄米が、混合米受樋１２には混合米が、粃受樋１３には粃が夫れ夫れ風選され、玄米受樋１１に風選された玄米は玄米揚穀機１６により直接機外に取り出され、混合米受樋１２に風選された混合米は混合米揚穀機２０により混合米選別部３に送られて籾・玄米に分離選別される。
【０００８】
請求項２の発明は、籾摺する籾摺部１と、摺出米選別風路１０の下方に混合米受樋１２、粃受樋１３が設けられている摺出米風選部２と、混合米を籾・玄米に分離選別する混合米選別部３を機体に順次並列配置し、前記摺出米風選部２で混合米受樋１２に風選された混合米を混合米揚穀機２０により前記混合米選別部３に移送するように構成し、前記摺出米風選部２の摺出米選別風路１０の終端部に吸引ファン１４を連接し、混合米選別部３からの選別玄米を受けて機外に取り出す玄米揚穀機１６を前記吸引ファン１４の近傍に配置し、前記玄米揚穀機１６には機外取出玄米から塵埃類を吸塵する玄米吸塵装置１７を設け、前記玄米吸塵装置１７の吸塵通路１７ｃの終端部を前記吸引ファン１４の吸入部及び穀粒溜り室１８に連通し、前記穀粒溜り室１８には開口して前記摺出米選別風路１０に穀粒を供給する開閉板１９を設けたことを特徴とする。
【０００９】
前記構成によると、籾摺部１で籾摺された摺出米は摺出米風選部２に送られ風選され、混合米受樋１２には混合米が、粃受樋１３には粃が夫れ夫れ風選される。混合米受樋１２に風選された混合米は混合米揚穀機２０により混合米選別部３に送られて籾・玄米に分離選別され、玄米揚穀機１６によって機外に取出される。
【００１０】
摺出米風選部２の摺出米選別風路１０の終端部に連接した吸引ファン１４は籾摺部１の機体中間部に配置されていて、摺出米風選部２で玄米受樋１１に風選された玄米は玄米揚穀機１６により機外に取り出す途中に玄米吸塵装置１７により吸塵される。吸塵された塵埃類は吸塵通路１７ｃを経て吸引ファン１４に吸引されて機外に排出され、塵埃類中の穀粒は吸塵通路１７ｃの終端側から穀粒溜り室１８に流れ、穀粒が所定量たまると開閉板１９が開き摺出米選別風路１０に供給されて風選される。
【００１１】
請求項３の発明は、高脱ぷ率で籾摺する籾摺部１と、摺出米選別風路１０の下方に玄米受樋１１、混合米受樋１２、粃受樋１３が設けられている摺出米風選部２と、混合米を籾・玄米に分離選別する混合米選別部３を機体の前側から後側に順次並列配置し、前記摺出米風選部２で混合米受樋１２に風選された混合米を混合米揚穀機２０により前記混合米選別部３に移送するように構成し、前記摺出米風選部２の摺出米選別風路１０の終端部に連接した吸引ファン１４を前記籾摺部１の後側で且つ混合米選別部３の前側に配置し、前記摺出米風選部２で玄米受樋１１に風選された玄米を機外に取り出す玄米揚穀機１６を前記吸引ファン１４の近傍に配置し、前記玄米揚穀機１６には機外取出玄米から塵埃類を吸塵する玄米吸塵装置１７を設け、前記玄米吸塵装置１７の吸塵通路１７ｃの終端部を前記吸引ファン１４の吸入部及び穀粒溜り室１８に連通し、前記穀粒溜り室１８には間歇的に開口して前記摺出米選別風路１０に穀粒を供給する開閉板１９を設けたことを特徴とする。
【００１２】
前記構成によると、籾摺部１で高脱ぷ率で籾摺された摺出米は摺出米風選部２に送られ風選され、玄米受樋１１には玄米が、混合米受樋１２には混合米が、粃受樋１３には粃が夫れ夫れ風選される。玄米受樋１１に風選された玄米は玄米揚穀機１６により直接機外に取り出され、混合米受樋１２に風選された混合米は混合米揚穀機２０により混合米選別部３に送られて籾・玄米に分離選別される。
【００１３】
摺出米風選部２の摺出米選別風路１０の終端部に連接した吸引ファン１４は籾摺部１の後側で且つ混合米選別部３の前側の機体中間部に配置されていて、摺出米風選部２で玄米受樋１１に風選された玄米は玄米揚穀機１６により機外に取り出す途中に玄米吸塵装置１７により吸塵される。吸塵された塵埃類は吸塵通路１７ｃを経て吸引ファン１４に吸引されて機外に排出され、塵埃類中の穀粒は吸塵通路１７ｃの終端側から穀粒溜り室１８に流れ、穀粒が所定量たまると開閉板１９が開き摺出米選別風路１０に間歇的に供給されて風選される。
【発明の効果】
【００１４】
請求項１の発明は、籾摺部により高脱ぷ率で籾摺された摺出米を摺出米風選部に送り玄米、混合米及び粃に風選し、摺出米風選部で風選された玄米を直接機外に取り出し、残りの少量の混合米を混合米選別部に送り籾・玄米に分離選別するので、玄米の処理行程を短縮して籾摺能率の向上を図りながら、混合米選別部を小容量化しコストの低減を図ることができる。
【００１５】
請求項２の発明は、玄米から塵埃類を吸塵除去してきれいな玄米に仕上げ、塵埃類中の穀粒を摺出米風選部２に還元し摺出米風選部２の選別風路への悪影響を少なくし選別精度を高めることができる。
【００１６】
請求項３の発明は、玄米の処理行程を短縮して籾摺能率の向上を図り、混合米選別部を小容量化しコストの低減を図ることができるものでありながら、摺出米風選部から機外に直接取り出す玄米から塵埃類を吸塵除去してきれいな玄米に仕上げ、塵埃類中の穀粒を摺出米風選部２に間歇的に還元し摺出米風選部２の選別風路への悪影響を少なくし選別精度を高めることができる。
【発明を実施するための最良の形態】
【００１７】
この発明は、インペラ羽根型等の籾摺部１で例えば９９．５％の高い脱ぷ率で籾摺し、籾摺された摺出米を摺出米風選部２で玄米、混合米及び粃に分離選別し、摺出米風選部２から多量の玄米を仕上米として機外に直接取り出し、摺出米風選部２から残った少量の混合米を混合米選別部３に送って籾と玄米に分離選別するもので、玄米の処理行程を短縮して籾摺能率の向上を図り、混合米選別部を小容量化し合わせてコストの低減を図ろうとするものである。
【実施例１】
【００１８】
図１に基づきこの発明を具備した籾摺選別機の全体構成を説明する。
籾摺選別機は、高脱ぷ率で籾摺することのできるインペラ羽根型の籾摺部１と、籾摺部１からの摺出米を玄米、混合米及び粃に風選する摺出米風選部２と、摺出米風選部２で風選された混合米を籾・玄米に分離選別する混合米選別部３とにより構成されている。
【００１９】
籾摺部１は、籾ホッパ６と、例えば９９．５％の高脱ぷ率で籾摺することのできるインペラ羽根式籾摺装置７で構成されている。インペラ羽根式籾摺装置７は、摺出米風選部２の摺出米風選箱体９の前部一側に配置している籾摺ケース７ａと、籾摺ケース７ａに回転自在に設けられているインペラ羽根７ｂ，…と、籾ホッパ６の籾を籾摺ケース７ａの中心部に供給する籾供給筒７ｃと、摺出米を摺出米風選部２に移送する摺出米移送筒７ｄにより構成されている。
【００２０】
しかして、籾ホッパ６に供給された籾は籾供給筒７ｃを経て籾摺ケース７ａに供給され、インペラ羽根７ｂ，…上を外周側に撥ね飛ばされ、外周屈曲部で急激な方向変換がなされて籾摺ケース７ａ外周部のライニングに衝突しその大半が籾摺され、摺出米は摺出米移送筒７ｄ内を上昇旋回して摺出米風選部２の摺出米供給ボックス５に供給される。
【００２１】
次に、摺出米風選部２について説明する。
摺出米風選部２の摺出米風選箱９内には、前側から後側に向けて選別風が流れる摺出米選別風路１０が後上り状に斜設されている。この摺出米選別風路１０の始端部１０ａ下方には玄米受樋１１が、中途部下方には混合米受樋１２が、終端側１０ｂ下方には粃受樋１３が夫れ夫れ設けられている。摺出米選別風路１０の終端部１０ｂの上位には吸引ファン１４が設けられ、吸引ファン１４の排風部には排塵筒１５が上向きに接続されている。また、粃受樋１３に落下選別された粃は粃還元通路２１に流下し、粃還元通路２１の終端部は籾摺ケース７ａに接続され、籾摺ケース７ａの吸引風により粃は吸引されるよう構成される。
【００２２】
玄米受樋１１に選別された玄米は玄米ラセン１１ａで機体一側に搬送されて、例えばスローワ型の玄米揚穀機１６の下部に供給され機外に取り出される構成である。玄米揚穀機１６はスローワ羽根が回転自在に設けられている揚穀ケース１６ａと、揚穀ケース１６ａに接続されている揚穀筒１６ｂとにより構成されていて、揚穀筒１６ｂは前記排塵筒１５に沿って上方に向けて延出されていて、揚穀筒１６ｂの上端には玄米吸塵装置１７が取り付けられている。
【００２３】
この玄米吸塵装置１７は、吸塵箱体１７ａと、吸塵箱体１７ａ内に玄米をジグザグ状に流下させる流下通路１７ｂと、流下通路１７ｂの下端部から吸塵する吸塵通路１７ｃにより構成されている。そして、吸塵通路１７ｃの下端部は、摺出米選別風路１０の始端部１０ａ上方に位置すべく穀粒溜り室１８が形成され、かつこの吸塵通路１７ｃの下方は吸引ファン１４の吸引部に連通されている。このため吸引ファン１４の吸引風作用によって、吸塵通路１７ｃから吸引ファン１４の吸塵口１４ａに向けて上下に屈曲（イ）すべく吸塵風が作用する。
【００２４】
上記穀粒溜り室１８の流下口には、例えば自重により流下口を閉鎖する開閉板１９が設けられていて、穀粒溜り室１８に穀粒が所定量溜ると、穀粒の重さにより開閉板１９が開かれて摺出米選別風路１０の始端部１０ａに還元され風選処理される構成である。すなわち、吸塵通路１７ｃから吸引ファン１４部へ向けて折り返し状に吸塵風が作用するため、重い穀粒は開閉板１９で穀粒溜り室１８にせき止められる。
【００２５】
しかして、籾摺ケース７ａで籾摺された摺出米は摺出米移送筒７ｄを経て摺出米供給ボックス５に供給され、摺出米供給ボックス５の拡散装置（図示省略）により拡散されながら摺出米選別風路１０の始端側に供給されて風選される。被選別物中の大量の玄米は玄米受樋１１に落下選別され、玄米ラセン１１ａで機体一側に搬送されて、玄米揚穀機１６で直接機外に取り出される。
【００２６】
また、吸引ファン１４の風力は少量に混在する籾の全部を選別風路１０の中間部位から終端側に移送しうるよう比較的強く設定されて、玄米も一部移送される。従って籾と玄米の混合米は混合米受樋１２に落下選別されて、混合米揚穀機２０により混合米選別部３に送られる。また、軽い粃は粃受樋１３に選別されて粃還元通路２１に流下し、籾摺ケース７ａの吸引力により粃還元通路２１の終端側に流れ、籾摺ケース７ａに吸引還元されて再度籾摺される。また、籾殻や塵埃類は摺出米選別風路１０の終端側１０ｂから、吸引ファン１４及び排塵筒１５を経て機外に排出される。
【００２７】
また、玄米受樋１１に選別された玄米は玄米ラセン１１ａで機体一側に搬送されて、玄米揚穀機１６により揚穀され玄米吸塵装置１７に供給される。そして、玄米が流下通路１７ｂをジグザグ状に流下中に拡散して玄米と塵埃類が分散し、玄米は流下通路１７ｂから機外に取り出される。塵埃類は流下通路１７ｂの下部から吸引ファン１４の吸引力により吸塵通路１７ｃに吸引除去され終端側に流れる。塵埃類中の重い穀粒は吸塵通路１７ｃの終端側から穀粒溜り室１８に流下し、所定量穀粒が溜まると、開閉板１９が自動的に開いて摺出米選別風路１０の始端部に還元され再度選別される。また、軽い塵埃類は吸塵通路１７ｃの終端部から吸引ファン１４に流れ排塵筒１５を経て機外に排出される。
【００２８】
なお上記実施例では、玄米受樋１１への玄米は、摺出米選別風路１０で風選され、被選別物中の大量の玄米は玄米受樋１１で受けられ、玄米揚穀機１６で直接機外に取り出される構成とし、この玄米揚穀機１６に玄米吸塵装置１７を敷設する構成としたが、該玄米揚穀機１６は、混合米選別部を経由して回収する玄米の揚穀機を対象としてもよい。
【００２９】
混合米選別部３は機体の後部に設けられていて、回転選別筒（図示省略）あるいは揺動選別板（図示省略）等により混合米を籾と玄米に分離選別する周知の構成である。そして、前記摺出米風選部２で混合米受樋１２に選別された混合米が混合米揚穀機２０を経て混合米選別部３に供給されて選別される。選別された玄米は玄米揚穀機（図示省略）や玄米取出筒（図示省略）を経て機外に取り出され、また、選別された籾は籾揚穀機（図示省略）により籾摺部１の籾ホッパ６に還元される構成である。前記の構成として、予めすり出された穀粒中から玄米が玄米受樋１１で回収されるため残る混合米は例えばすり出された穀粒総量の７割程度に減少し、従って、混合米選別部３の、例えば回転選別筒長さを短縮化でき、あるいは揺動選別板の板面面積を縮小化できたり積み重ね枚数を少なくできるなど、選別部３の処理容量を低減できるため、小型化が可能となり、ひいてはコスト低減につながるものである。
【００３０】
次に、図３及び図４に基づき玄米揚穀機１６の吸塵構成の他の実施例について説明する。
機体前部には籾摺部１を設け、籾摺部１は、籾ホッパ６と、籾摺ケース７ａ、インペラ羽根（図示省略）、籾供給部７ｃと、摺出米移送筒７ｄからなるインペラ羽根式籾摺装置７で構成されている。
【００３１】
摺出米風選部２は、摺出米風選箱体９、拡散装置（図示省略）の内装されている摺出米供給ボックス５、摺出米風選箱体９内に設けられている摺出米選別風路１０、粃を受ける粃受樋１３、混合米を受ける摺出米受樋１２、吸引ファン（図示省略）、排塵筒１４等により構成されている。
【００３２】
混合米選別部３は回転選別筒により構成されている周知の構成で、選別ケース２２、前後方向の軸心回りに回転する回転選別筒２３、回転選別筒２３を回転駆動する駆動ローラー（図示省略）、回転選別筒２３内に設けられている玄米ラセン２４ａ付きの玄米受樋２４及び供給ラセン２５ａ付きの供給樋２５、玄米調節弁（図示省略）、回転選別筒２３の終端部に設けられている汲上羽根（図示省略）、籾還元樋（図示省略）等により構成されている。
【００３３】
摺出米風選部２で摺出米受樋１２に風選された混合米は、混合米揚穀機２０、混合米ホッパ（図示省略）、回転選別筒２３内の供給樋２５を経て回転選別筒２３の選別始端部に供給される。供給された混合米は回転選別筒２３の壷穴により汲み上げられ、大粒で長い籾粒や一部の玄米は中途部から落下して下側の供給樋２５に受けられ、供給ラセン２５ａにより回転選別筒２３の後側に搬送供給されて再選別される。また、小粒で短い玄米は高く汲み上げられて玄米受樋２４に落下し、玄米ラセン２４ａで前側に移送され、玄米流下通路（図示省略）、玄米樋２６を経て、玄米揚穀機１６から機外に取り出される。また、大粒で長い籾粒は低い位置から落下して回転選別筒２３に回収されて前側に流動し、汲上羽根（図示省略）により汲み上げられ、籾還元樋（図示省略）を経て籾摺部１の籾ホッパ６に還元されて再度籾摺される。
【００３４】
玄米揚穀機１６の揚穀筒１６ｂの上端には前記実施例と同様の玄米吸塵装置１７が設けられている。玄米吸塵装置１７から吸塵通路１７ｃに吸塵された塵埃類は機体前側に案内され、籾摺ケース７ａ中心部の流入口２７から籾摺ケース７ａに吸引され、塵埃類中の穀粒はインペラ羽根（図示省略）より籾摺され、次いで、摺出米風選部２に送られて風選処理される構成である。
【００３５】
また、摺出米風選部２の粃受樋１３に選別された粃は、粃流路２８を経て前記吸塵通路１７ｃの終端部に供給され、吸塵通路１７ｃで玄米吸塵装置１７側の塵埃類と合流して籾摺ケース７ａに還元するように構成している。
【００３６】
しかして、塵埃類に穀粒が混じっていても、籾摺ケース７ａに投入されて再度の籾摺がなされ、更に摺出米風選部２で風選されるので、穀粒の処理精度が向上し穀粒回収率を高めることができる。また、吸塵通路１７ｃの終端部を吸引ファン１４の吸入部に連通する構成であると、塵埃類中の穀粒が排塵筒１５を経て機外に排出される怖れがあるが、このような不具合も解消することができる。
【００３７】
また、籾摺ケース７ａ中心部の流入口２７は、図４に示すように、板バネで構成された仕切弁２９により、穀粒の流入する穀粒流入部２７ａと、塵埃類の流入する塵埃類流入部２７ｂとに仕切られていて、調節レバー３０を操作することにより、両流入部の開口比率を調節できるように構成している。しかして、作柄や、品種への適応性を向上させることができる。
【００３８】
次に、図５及び図６に基づき粒選別機３１の玄米から吸塵された塵埃類を除去する装置について説明する。
籾摺選別機の籾摺部１で籾摺された摺出米は摺出米風選部２で風選され、摺出米風選部２で選別された混合米は混合米揚穀機２０を経て例えば揺動選別板型の混合米選別部３に供給されて籾・玄米に分離選別され、選別された玄米は玄米揚穀機３２を経て粒選別機３１の玄米ホッパ３３に供給される。
【００３９】
粒選別機３１は周知の構成で、その具体構成は省略しているが次のように構成されている。即ち、同一の縦軸心回りに互いに反対方向に回転する大径の玄米選別網筒及び小径の玄米揚穀ラセン筒、玄米選別網筒の外周部に設けられている屑米選別室、屑米選別室から屑米を取り出す屑米取出筒、玄米揚穀ラセン筒の下端部に玄米を投入する玄米ホッパ３３、選別された精玄米を取り出す精玄米取出ホッパ３４等から構成されていている。
【００４０】
そして、精玄米取出ホッパ３４、又はこの取出ホッパ３４を連設する本体部には吸塵通路を形成する吸塵筒３５の始端部を接続し、吸塵筒３５の終端部を籾摺選別機の籾揚穀機３６の近傍まで延長している。該籾揚穀機３６は、揚穀羽根（図示省略）を回転自在に設けた揚穀ケース３６ａと、揚穀ケース３６ａの上部に接続している揚穀筒３６ｂにより構成されていて、揚穀筒３６ｂの上端を籾ホッパ６に接続している。また、揚穀ケース３６ａの側方に還元ケース３７を取り付け、この還元ケース３７内に揚穀ケース３６ａ側の揚穀羽根（図示省略）と同軸で回転する還元羽根（図示省略）を設け、還元ケース３７の上端部を籾揚穀機３６側の揚穀筒３６ｂに連通している。また、還元ケース３７の連通口３７ａには開閉調節できる調節弁３８を介して前記吸塵通路１７ｃの終端部を接続している。
【００４１】
しかして、精玄米取出ホッパ３４の塵埃類は還元ケース３７の吸引風により吸引される。精玄米取出ホッパ３４から吸塵通路３５に吸引された塵埃類は吸塵通路３５の終端側に流れ、調節弁３８、連通口３７ａを経て還元ケース３７に吸引される。塵埃類中の穀粒は還元ケース３７から揚穀筒３６ｂを経て籾ホッパ６に揚穀され、次いで、籾摺室３９で籾摺され、塵埃類と共に摺出米風選部２に供給されて選別処理され、塵埃類は吸引ファン１４、排塵筒１５を経て機外に排出される。従って、粒選別機３１に排塵用のファンを設ける必要もなく、吸塵装置を籾摺選別機の揚穀機を有効に活用した簡素な構成で実現しコストの低減を図ることができる。
【図面の簡単な説明】
【００４２】
【図１】籾摺選別機の切断側面図
【図２】籾摺選別機の切断正面図
【図３】籾摺選別機の切断側面図
【図４】要部の切断側面図、正面図
【図５】籾摺選別機、粒選別機の切断側面図
【図６】要部の斜視図、正面図
【符号の説明】
【００４３】
１    籾摺部
２    摺出米風選部
３    混合米選別部
１０    摺出米選別風路
１１    玄米受樋
１２    混合米受樋
１３    粃受樋
１４    吸引ファン
１６    玄米揚穀機
１７    玄米吸塵装置
１７ｃ    吸塵通路
１８    穀粒溜り室
１９    開閉板
２０    混合米揚穀機
【図１】
2005095748.tif 000003
【図２】
2005095748.tif 000004
【図３】
2005095748.tif 000005
【図４】
2005095748.tif 000006
【図５】
2005095748.tif 000007
【図６】
2005095748.tif 000008